(57)【要約】      （修正有）【課題】安価に製造することが可能であると共に、装飾体に立体的な動きを伴わせることによって、視覚的効果を高めることができ、ティッシュボックスを入れ替えて長期間使用してもらえる贈答用ティッシュボックス収容箱を提供する。【解決手段】贈答用ティッシュボックス収容箱１０は、紙製であって、外蓋部１と、中蓋部２と、ティッシュボックス収容部３とが一体的に形成されている。また、外蓋部１を構成する外蓋１ａの裏面１１ａには、カレンダーが印刷されている。さらに、外蓋部１と中蓋部２との間を架け渡すように、立体装飾部４が形成されており、立体装飾部４は、折り曲げ片と、折り曲げ片に固定される装飾体とから構成され、折り曲げ片と装飾体は、外蓋１ａの開閉の動きに連動して動く構造となっている。【選択図】図１
0003200630.tif 000002
【実用新案登録請求の範囲】
【請求項１】
外蓋部と、中蓋部と、ティッシュボックス収容部とが一体的に形成された紙製の贈答用ティッシュボックス収容箱において、
前記外蓋部を構成する外蓋の裏面には、カレンダーが印刷されており、
前記中蓋部を構成する中蓋の中央には、ティッシュペーパーを取り出し可能な開口を形成可能な切取り部を備え、
前記外蓋部と前記中蓋部との間を架け渡すように、立体装飾部が形成されており、
該立体装飾部は、折り曲げ片と、該折り曲げ片に固定される装飾体とから構成され、前記折り曲げ片と前記装飾体は、前記外蓋の開閉の動きに連動して動くことを特徴とする贈答用ティッシュボックス収容箱。
【請求項２】
外蓋は表面と裏面とが張り合わされて形成され、前記外蓋の裏面の縁辺を折り曲げ可能としつつ、該縁辺から中蓋が連続して一体的に形成されている構造であって、前記外蓋の裏面から前記中蓋にわたって、所定の間隔をあけて少なくとも２本の切り込みが形成されており、該２本の切り込みの両端部と中間部とが幅方向に折り曲げられることによって、立体装飾部の折り曲げ片となっていることを特徴とする請求項１に記載の贈答用ティッシュボックス収容箱。
【請求項３】
立体装飾部を構成する装飾体には、十二支を構成する動物のキャラクターが描かれていることを特徴する請求項１又は２に記載の贈答用ティッシュボックス収容箱。
【請求項４】
立体装飾部を構成する装飾体には、送り主の会社名と、連絡先が記載されていることを特徴とする請求項１〜３のいずれか１項に記載の贈答用ティッシュボックス収容箱。
【請求項５】
立体装飾部を構成する装飾体には、送り主の職業を連想させるアイテムが描かれていることを特徴とする請求項１〜４のいずれか１項に記載の贈答用ティッシュボックス収容箱。
【請求項６】
立体装飾部は、複数の折り曲げ片と、複数の装飾体とを有することを特徴とする請求項１〜５のいずれか１項に記載の贈答用ティッシュボックス収容箱。
【請求項７】
ティッシュボックス収容部は、底面と、該底面の端縁から立設された４個の側面から構成され、前記底面又は該底面に載置されるカードには、おみくじ内容が印刷されていることを特徴とする請求項１〜６のいずれか１項に記載の贈答用ティッシュボックス収容箱。
【考案の詳細な説明】
【技術分野】
【０００１】
本考案は、ティッシュペーパーが収容されているティッシュボックスを収容する紙製のティッシュボックス収容箱であって、主に、お年賀等で配布する贈答用のティッシュボックス収容箱に関するものである。
【背景技術】
【０００２】
従来から、ティッシュペーパーが収容されているティッシュボックスを収容する収容箱に関する考案は知られている（特許文献１）。この特許文献１に記載の考案は、収容箱のティッシュペーパー取り出し口近傍に、空洞のマスコット的立体像を固着して、この立体像の頂部からティッシュペーパーを取り出す構造となっている。
【０００３】
また、ティッシュボックスを収容する木製の収容箱の側板を額縁にして、この額縁に写真やポストカード等を交換可能に展示することができる溝を形成した構造のティッシュボックス収容箱も知られている（特許文献２）。
【０００４】
さらに、ティッシュボックスを収容する収容箱の上面に描かれた鳥等の図柄をポップアップすることによって、装飾的効果を奏させつつ、ティッシュペーパー取り出し口を形成することができる構造のティッシュボックス収容箱も知られている（特許文献３）。
【先行技術文献】
【特許文献】
【０００５】
【特許文献１】実開昭６２−３１０７４号公報
【特許文献２】実用新案登録第３０６７７５６号公報
【特許文献３】実用新案登録第３１６１２８４号公報
【考案の概要】
【考案が解決しようとする課題】
【０００６】
しかしながら、特許文献１に記載のティッシュボックス収容箱は、工場において、贈答品として量産する場合には、立体像の製作が高価になると共に、輸送時に嵩張るという課題を有していた。
【０００７】
また、特許文献２に記載の木製のティッシュボックス収容箱は、額縁の形成や溝の加工等により高価となるので、取引先にお年賀等で配る安価な商品としては適さないものであった。
【０００８】
一方、特許文献３に記載の紙製のティッシュボックス収容箱は、安価に製造することができるものではあるが、描かれている鳥等の図柄が動くものではないことから、さらに視覚的効果を高めると共に、ティッシュボックスを入れ替えて長期間使用してもらえるティッシュボックス収容箱を開発する必要があった。
【０００９】
本考案は、上記従来の考案が有する課題を解決するためになされたものであり、安価に製造することが可能であると共に、装飾体に立体的な動きを伴わせることによって、視覚的効果を高めることができ、ティッシュボックスを入れ替えて長期間使用してもらえる贈答用ティッシュボックス収容箱を提供することを目的とする。
【課題を解決するための手段】
【００１０】
請求項１の考案では、外蓋部と、中蓋部と、ティッシュボックス収容部とが一体的に形成された紙製の贈答用ティッシュボックス収容箱において、前記外蓋部を構成する外蓋の裏面には、カレンダーが印刷されており、前記中蓋部を構成する中蓋の中央には、ティッシュペーパーを取り出し可能な開口を形成可能な切取り部を備え、前記外蓋部と前記中蓋部との間を架け渡すように、立体装飾部が形成されており、該立体装飾部は、折り曲げ片と、該折り曲げ片に固定される装飾体とから構成され、前記折り曲げ片と前記装飾体は、前記外蓋の開閉の動きに連動して動くことを特徴としている。
【００１１】
したがって、外蓋を開閉することによって、折り曲げ片と装飾体が動き、視覚的効果を高めることができる。また、外蓋の裏面にはカレンダーが印刷されていることから、外蓋を開けた状態でティッシュペーパーを取り出すことができると共に、日付と曜日を確認することができる。また、紙製であって、外蓋部と、中蓋部と、ティッシュボックス収容部とが一体的に形成されていることから、安価に製造することができる。
【００１２】
また、請求項２の考案では、請求項１の考案において、外蓋は表面と裏面とが張り合わされて形成され、前記外蓋の裏面の縁辺を折り曲げ可能としつつ、該縁辺から中蓋が連続して一体的に形成されている構造であって、前記外蓋の裏面から前記中蓋にわたって、所定の間隔をあけて少なくとも２本の切り込みが形成されており、該２本の切り込みの両端部と中間部とが幅方向に折り曲げられることによって、立体装飾部の折り曲げ片となっていることを特徴としている。したがって、折り曲げ片の両端部を接着剤等によって外蓋と中蓋との間に固定する必要がなく、組み立てが容易であり、製造コストを低減することができる。
【００１３】
また、請求項３の考案では、請求項１又は２の考案において、立体装飾部を構成する装飾体には、十二支を構成する動物のキャラクターが描かれていることを特徴としている。したがって、ティッシュボックスを収容した状態の商品では、年末に取引先に配るカレンダーの代わりとしての商品価値を与えることができると共に、お年賀のお年玉の代わりとしての商品価値も与えることができる。
【００１４】
また、請求項４の考案では、請求項１〜３のいずれかの考案において、立体装飾部を構成する装飾体には、送り主の会社名と、連絡先が記載されていることを特徴としている。したがって、配布先の会社において、送り主の会社の宣伝を行うことができると共に、新たな仕事の依頼時に電話番号等を探す手間を省くことができる。
【００１５】
また、請求項５の考案では、請求項１〜４のいずれかの考案において、立体装飾部を構成する装飾体には、送り主の職業を連想させるアイテムが描かれていることを特徴としている。例えば、送り主が工事業者であれば、黄色のヘルメットを装飾体に描くことにより、送り主の職業を印象付けることができる。
【００１６】
また、請求項６の考案では、請求項１〜５のいずれかの考案において、立体装飾部は、複数の折り曲げ片と、複数の装飾体とを有することを特徴としている。したがって、視覚的効果を一層高めることによって、商品価値を高めることができる。
【００１７】
また、請求項７の考案では、請求項１〜６のいずれかの考案において、ティッシュボックス収容部は、底面と、該底面の端縁から立設された４個の側面から構成され、前記底面又は該底面に載置されるカードには、おみくじ内容が印刷されていることを特徴としている。これにより、ティッシュボックスの交換時におみくじ内容を知ることができ、さらに商品価値を高めることができる。
【考案の効果】
【００１８】
請求項１の考案は、贈答用ティッシュボックス収容箱を安価に製造することができ、視覚的効果を高めることができると共に、商品価値を高めることができる。また、請求項２の考案は、製造コストを低減させることができる。さらに、請求項３〜７の考案は、贈答用ティッシュボックス収容箱の商品価値を一層高めることができる。
【図面の簡単な説明】
【００１９】
【図１】本考案に係る贈答用ティッシュボックス収容箱の外観を示す斜視図である。
【図２】本考案に係る贈答用ティッシュボックス収容箱を右側面方向から見た図である。
【図３】本考案に係る贈答用ティッシュボックス収容箱の外蓋を閉じた状態を示す斜視図である。
【図４】本考案に係る贈答用ティッシュボックス収容箱の展開図である。
【図５】本考案に係る贈答用ティッシュボックスの中蓋を開けてティッシュボックスを装着した状態を示す斜視図である。
【図６】装飾体を取り外した状態の本考案に係る贈答用ティッシュボックス収容箱を示す斜視図である。
【図７】装飾体を印刷したシートを示す平面図である。
【図８】本考案に係る贈答用ティッシュボックスの中蓋を開けてティッシュボックスを取り外した状態を示す斜視図である。
【考案を実施するための形態】
【００２０】
次に、本考案の実施形態を図面に基づいて説明する。図１は、本考案に係る贈答用ティッシュボックス収容箱の外観を示す斜視図であり、図２は、右側面方向から見た図である。また、図３は、本考案に係る贈答用ティッシュボックス収容箱の外蓋を閉じた状態を示す斜視図である。先ず、これらの図を用いて本考案に係る贈答用ティッシュボックス収容箱の概要を説明する。
【００２１】
本考案に係る贈答用ティッシュボックス収容箱１０は、厚紙等の紙製であって、外蓋部１と、中蓋部２と、ティッシュボックス収容部３とが一体的に形成されている。したがって、組み立てが容易であり、木製やプラスチック製と比較した場合に、非常に安価に製造することができる。また、外蓋部１を構成する外蓋１ａの裏面１１ａには、カレンダーが印刷されている。したがって、ティッシュペーパーを取り出す為に、外蓋１ａを開けた時には、カレンダーの印刷面が目に入りやすく、容易に日付と曜日を確認することができる。尚、外蓋１ａの表面１１ｂには、「謹賀新年」の文字と、お正月をイメージさせるこま等の図柄が印刷されている。また、外蓋１ａは表面１１ｂと裏面１１ａとが両面テープや接着剤等によって、張り合わされて形成され、外蓋１ａの裏面１１ａの縁辺５を折り曲げ可能としつつ、縁辺５から中蓋部２を構成する中蓋２ａが連続して一体的に形成されている構造となっている。尚、符号１ｂは、外蓋１ａの裏面１１ａ側の一部に切り込みを入れることによって形成された差し込み片であり、この差し込み片１ｂと対応する位置のティッシュボックス収容部３には、切欠き３ｆが形成されている。そして、切欠き３ｆに差し込み片１ｂが差し込まれることによって、外蓋１ａが閉じた状態となる構成としている。
【００２２】
また、中蓋部２を構成する中蓋２ａの中央には、ティッシュペーパーを取り出し可能な開口１２ａを形成可能なミシン目が形成された切取り部１２ｂ（図４参照）を備えている。尚、図１においては切取り部１２ｂを切り取って開口１２ａが形成された状態を示している。
【００２３】
また、外蓋部１と中蓋部２との間を架け渡すように、立体装飾部４が形成されており、立体装飾部４は、折り曲げ片４ａ〜４ｄと、折り曲げ片４ａ〜４ｄに固定される装飾体４ｅ〜４ｈとから構成され、折り曲げ片４ａ〜４ｄと装飾体４ｅ〜４ｈは、外蓋１ａの開閉の動きに連動して動く構造となっている。したがって、外蓋１ａを開閉することによって、折り曲げ片４ａ〜４ｄと装飾体４ｅ〜４ｈが動き、視覚的効果を高めることができる。
【００２４】
図４は、本考案に係る贈答用ティッシュボックス収容箱の展開図である。図４に示すように、外蓋部１と、中蓋部２と、ティッシュボックス収容部３とが一体的に形成されている。具体的には、外蓋１ａの裏面１１ａの一方の縁辺５を折り曲げ可能としつつ、縁辺５から中蓋部２を構成する中蓋２ａが連続して一体的に形成されており、外蓋１ａの裏面１１ａの他方の縁辺６を折り曲げ可能としつつ、縁辺６から外蓋１ａの表面１１ｂが連続して一体的に形成されている。さらに、外蓋１ａの表面１１ｂの縁辺７を折り曲げ可能としつつ、縁辺７からティッシュボックス収容部３を構成する側面３ｂが連続して一体的に形成されている。
【００２５】
尚、ティッシュボックス収容部３は、底面３ａと、この底面３ａの端縁が折り曲げられて立設される４個の側面３ｂ、３ｃ、３ｄ、３ｅから構成されている。また、４個の側面３ｂ、３ｃ、３ｄ、３ｅに連続して延長片８ａ〜８ｉが形成されており、この延長片８ａ〜８ｉが所定の箇所で折り曲げられることによって、３個の側面３ｃ、３ｄ、３ｅの内側に厚みが形成される（図５参照）。
【００２６】
図５は、本考案に係る贈答用ティッシュボックスの中蓋を開けてティッシュボックスを装着した状態を示す斜視図である。図５に示すように、中蓋２ａを開けた状態で、ティッシュペーパーを取り出し可能な開口部１７ａを備えたティッシュボックス１７をティッシュボックス収容部３に装着することができる。ここで、中蓋２ａの長手方向の両端部には、差し込み片２ｂ、２ｃが形成されている。この差し込み片２ｂ、２ｃに対応する位置のティッシュボックス収容部３側には、切欠き９ａ、９ｂが形成されており、この切欠き９ａ、９ｂに差し込み片２ｂ、２ｃが差し込まれることによって、中蓋２ａが閉じた状態となる構成としている。
【００２７】
図６は、装飾体を取り外した状態の本考案に係る贈答用ティッシュボックス収容箱を示す斜視図である。折り曲げ片４ａ〜４ｄは、外蓋１ａの裏面１１ａから中蓋２ａにわたって、所定の間隔をあけて２本の切り込みが形成されており、この２本の切り込みの両方の端部１３ａ、１３ｃと中間部１３ｂとが幅方向に折り曲げられることによって形成される。
【００２８】
ここで、折り曲げ片４ａ〜４ｄの中間部１３ｂの折り曲げ線は、縁辺５に対して平行となるように折り曲げられているが、折り曲げ片４ａ、４ｃ、４ｄの両方の端部１３ａ、１３ｃの折り曲げ線は、縁辺５に対して傾斜させている。具体的には、折り曲げ片４ａ、４ｃ、４ｄの両方の端部１３ａ、１３ｃの折り曲げ線は、折り曲げ片４ｂに近い側が縁辺５に近づくように傾斜させている。一方、縁辺５の長手方向の略中央付近に位置する折り曲げ片４ｂは、中間部１３ｂの折り曲げ線及び、両方の端部１３ａ、１３ｃの折り曲げ線を、縁辺５に対して平行となるように折り曲げられている。
【００２９】
折り曲げ片４ａ、４ｃ、４ｄを前述のように構成することによって、折り曲げ片４ａ、４ｃ、４ｄに装飾体が固定された状態で、外蓋１ａが閉じられている場合には、折り曲げ片４ａ、４ｃ、４ｄに固定されている装飾体が、折り曲げ片４ｂに近づいた状態となっている。そして、外蓋１ａを開ける動作に連動して、折り曲げ片４ａ、４ｃ、４ｄに固定されている装飾体が、折り曲げ片４ｂから離れる方向に動くように見えることとなる。これにより、視覚的効果を一層高めることができる。
【００３０】
図７は、装飾体を印刷したシートを示す平面図である。シート１４には、装飾体４ｅ〜４ｈが印刷されており、各々の装飾体の外縁にはミシン目が形成された切取り部１５を備えている。したがって、本考案に係る贈答用ティッシュボックスの製作時には、シート１４から装飾体４ｅ〜４ｈを取り出し、裏面に両面テープを貼って、各々の折り曲げ片４ａ〜４ｄに固定すればよいので、短時間で贈答用ティッシュボックスを組み立てることができる。
【００３１】
尚、装飾体４ｅ、４ｇ、４ｈには、十二支を構成する動物のキャラクターの一つである猿が描かれている。このように、来年の干支に対応する動物のキャラクターを装飾体に描くことによって、年末に取引先に配るカレンダーの代わりとしての商品価値を与えることができる。また、装飾体４ｈに示すように、送り主の会社名と、連絡先を記載することもできる。これにより、配布先の会社において、送り主の会社の宣伝を行うことができると共に、新たな仕事の依頼時に電話番号等を探す手間を省くことができる。また、図示してはいないが、装飾体に送り主の職業を連想させるアイテムを描くこともできる。例えば、送り主が工事業者であれば、黄色のヘルメットを装飾体に描くことにより、送り主の職業を印象付けることができる。
【００３２】
図８は、本考案に係る贈答用ティッシュボックスの中蓋を開けてティッシュボックスを取り外した状態を示す斜視図である。図８に示すように、ティッシュボックス収容部３の底面３ａには、カード１６が載置されている。そして、カード１６には、大吉等のおみくじ内容が印刷されている。これにより、ティッシュボックスの交換時におみくじ内容を知ることができ、さらに商品価値を高めることができる。尚、カード１６を使用せず、底面３ａに直接、大吉等のおみくじ内容を印刷してもよい。
【産業上の利用可能性】
【００３３】
本考案の贈答用ティッシュボックス収容箱は、ティッシュペーパーが収容されているティッシュボックスを収容する収容箱として、主に、お年賀等で配布するために使用される。
【符号の説明】
【００３４】
１  外蓋部
１ａ  外蓋
１ｂ、２ｂ、２ｃ  差し込み片
２  中蓋部
２ａ  中蓋
３  ティッシュボックス収容部
３ａ  底面
３ｂ、３ｃ、３ｄ、３ｅ  側面
３ｆ、９ａ、９ｂ  切欠き
４  立体装飾部
４ａ〜４ｄ  折り曲げ片
４ｅ〜４ｈ  装飾体
５、６、７  縁辺
８ａ、８ｂ、８ｃ、８ｄ、８ｅ、８ｆ、８ｇ、８ｈ、８ｉ  延長片
１０  贈答用ティッシュボックス収容箱
１１ａ  裏面
１１ｂ  表面
１２ａ  開口
１２ｂ、１５  切取り部
１３ａ、１３ｂ  端部
１３ｃ  中間部
１４  シート
１６  カード
１７  ティッシュボックス
１７ａ  開口部
【図１】
0003200630.tif 000003
【図２】
0003200630.tif 000004
【図３】
0003200630.tif 000005
【図４】
0003200630.tif 000006
【図５】
0003200630.tif 000007
【図６】
0003200630.tif 000008
【図７】
0003200630.tif 000009
【図８】
0003200630.tif 000010